(57)【要約】【課題】従来のスノーボード用ビンディングにおいては、締具の硬さを調整できない欠点があった。【解決手段】本発明のスノーボード用ビンディングは、ベースプレートと、ヒールカップと、上記ベースプレートと上記ヒールカップを硬度調整用部材を介して連結する連結具と、上記ヒールカップの一側にその一端を取り付けたブーツ固定用バンドと、上記バンドの他端に連結したバックルと、上記ベースプレートの他側にその一端を取り付け、その他端を上記バックルに連結するベルトとよりなり、上記硬度調整用部材が異なる硬度のものに交換自在である。上記硬度調整用部材が上記ベースプレートと上記ヒールカップの何れか一方に着脱自在に結合されており、上記連結具は上記硬度調整用部材を介して上記ベースプレートと上記ヒールカップを結合する締付具である。上記硬度調整用部材は上記ベースプレートと上記ヒールカップの何れか一方に形成した貫通穴に挿入されている。上記貫通穴は細長い穴である。【選択図】  図１
2004248885.tif 000002
【特許請求の範囲】
【請求項１】
ベースプレートと、ヒールカップと、上記ベースプレートと上記ヒールカップを硬度調整用部材を介して連結する連結具と、上記ヒールカップの一側に取り付けたブーツ固定用バンドと、上記バンドに連結するため上記ベースプレートの他側に取り付けたベルトとよりなり、上記硬度調整用部材が異なる硬度のものに交換自在であることを特徴とするスノーボード用ビンディング。
【請求項２】
上記硬度調整用部材が上記ベースプレートと上記ヒールカップの何れか一方に着脱自在に結合されており、上記連結具が上記硬度調整用部材を介して上記ベースプレートと上記ヒールカップを結合する締付具であることを特徴とする請求項１記載のスノーボード用ビンディング。
【請求項３】
上記硬度調整用部材が上記ベースプレートと上記ヒールカップの何れか一方に形成した貫通穴に挿入されていることを特徴とする請求項１または２記載のスノーボード用ビンディング。
【請求項４】
上記貫通穴が複数であることを特徴とする請求項３記載のスノーボード用ビンディング。
【請求項５】
上記貫通穴が細長い穴であることを特徴とする請求項３または４記載のスノーボード用ビンディング。
【請求項６】
上記締付具が複数であることを特徴とする請求項１、２、３、４または５記載のスノーボード用ビンディング。
【請求項７】
上記締付具が上記硬度調整用部材を貫通し、上記ベースプレートと上記ヒールカップの何れか他方に螺合されているネジであることを特徴とする請求項１、２、３、４、５または６記載のスノーボード用ビンディング。
【発明の詳細な説明】
【０００１】
【発明の属する技術分野】
本発明はスノーボード用ビンディング、特に、硬度調整可能なスノーボード用ビンディングに関するものである。
【０００２】
【従来の技術】
従来、スノーボード用ビンディングは既知である（特許文献１）。
【０００３】
【特許文献１】
特開平１１−２２６１７１号公報（第１頁〜第３頁、図１）。
【０００４】
図８はこのような従来のスノーボード用ビンディングの斜視図であって、１はスノーボード本体（図示せず）に固定されるベースプレート、２は上記ベースプレート１の後方にネジ３を介して固定したヒールカップ、４はブーツの後面に対接されるよう上記ヒールカップ２に連結されたハイバック、５は上記ヒールカップ２に対する上記ハイバック４の前傾調整用アジャスター、６は上記ブーツの甲部を締め付けるため上記ヒールカップ２の一側にその一端を連結したブーツ足首部固定用バンド、７はこのバンド６の他端に取り付けたバンド締付用バックル、８は上記バンド締付用バックル７に挿入するため上記ヒールカップ２の他端にその基部を固定した締付ベルト、９はブーツの爪先を締め付けるため上記ベースプレート１に設けたブーツ爪先部固定用バンド、１０はバンド締付用バックルを示す。
【０００５】
このような従来のスノーボード用ビンディングにおいては、ベースプレート１にブーツを装着するとき、上記ブーツ足首固定用バンド６及び締付ベルト８を分離した後、ブーツを上記ベースプレート１にその上方から乗せ、ベルト８をバックル７に挿入し、バックル７を締めてブーツの甲をベースプレート１に固定せしめている。ブーツ爪先部分の固定も同様にして行なっている。
【０００６】
【発明が解決しようとする課題】
然しながら、上記従来のスノーボード用ビンディングにおいては、締具の使用時のフィーリング（硬い・軟らかい）をユーザーが店頭で正確に把握することが難しく、また、実際に使用してみないと、自分の好みがどの程度の硬さのものなのかも、ある程度経験を積んでからでないとわからない部分が多い。価格も安いものでなく、最初に自分の好みに合わない締具を購入してしまうと、しばらくの間は我慢して使用せざるを得ない。また、滑走内容により、異なる硬さの締具を使用することが好ましい場合があり、１つの締具ではこの要求を満たすことは難しい。
【０００７】
本発明はこのような目的に合致するスノーボード用ビンディングを提供するものである。
【０００８】
【課題を解決するための手段】
本発明のスノーボード用ビンディングは、ベースプレートと、ヒールカップと、上記ベースプレートと上記ヒールカップを硬度調整用部材を介して連結する連結具と、上記ヒールカップの一側に取り付けたブーツ固定用バンドと、上記バンドに連結するため上記ベースプレートの他側に取り付けたベルトとよりなり、上記硬度調整用部材が異なる硬度のものに交換自在であることを特徴とする。
【０００９】
上記硬度調整用部材は、上記ベースプレートと上記ヒールカップの何れか一方に着脱自在に結合されており、上記連結具が上記硬度調整用部材を介して上記ベースプレートと上記ヒールカップを結合する締付具であることを特徴とする。
【００１０】
上記硬度調整用部材は、上記ベースプレートと上記ヒールカップの何れか一方に形成した貫通穴に挿入されていることを特徴とする。
【００１１】
上記貫通穴は、複数であることを特徴とする。
【００１２】
上記貫通穴は、細長い穴であることを特徴とする。
【００１３】
上記締付具は、複数であることを特徴とする。
【００１４】
上記締付具は、上記硬度調整用部材を貫通し、上記ベースプレートと上記ヒールカップの何れか他方に螺合されているネジであることを特徴とする。
【００１５】
【発明の実施の形態】
以下図面によって本発明の実施例を説明する。
【００１６】
本発明においては図８と同一部分には同一の符号を付し、その説明を省略する。
【００１７】
本発明においては、図１及び図２に示すように、ベースプレート１の両側部の立ち上がり部１ａの後方部に大径の貫通穴１１を設け、この貫通穴１１の表側面外周に溝１２を設け、この溝１２に合致するフランジを有する硬度調整用ブッシュ１４を上記貫通穴１１に嵌合せしめ、上記硬度調整用ブッシュ１４に形成したネジ貫通孔１３を介してネジ３を上記ヒールカップ２のネジ孔に螺合せしめることにより上記ベースプレート１に上記ヒールカップ２を固定せしめる。
【００１８】
上記硬度調整用ブッシュ１４は例えばナイロン、ポリエステル、エラストマ、ウレタン・ゴム等の弾性体とする。
【００１９】
本発明のスノーボード用ビンディングは上記のような構成であるからプレーヤの足首からの力がバンド６を介してヒールカップ２に加わったとき上記硬度調整用ブッシュ１４が変形するためこのブッシュ１４の硬さがヒールカップ２の硬さとなる。従って、上記硬度調整用ブッシュ１４として種々の硬さのものを用意しておき、これを選択的に使用すればヒールカップ２の硬さを広い範囲に調節することができるようになる。
【００２０】
なお、図３に示すように、上記ベースプレート１の立ち上がり部１ａの後方部に図２に示すものと同様の大径の貫通穴１１を複数設け、この各貫通穴１１に図２に示すものと同様の硬度調整用ブッシュ１４を夫々挿入固定せしめ、上記ヒールカップ２を上記複数の硬度調整用ブッシュ１４を介して上記ネジ３により上記ベースプレート１に固定せしめるようにしてもよい。
【００２１】
また、図４に示すように、上記ベースプレート１の立ち上がり部１ａの後方部に前後方向に伸びる細長い貫通穴１５を設け、この貫通穴１５の表側面外周に溝（図示せず）を設け、この貫通穴１５と上記溝に合致する形状のフランジ付硬度調整用ブッシュ１６を用い、この硬度調整用ブッシュ１６を介して複数のネジ３により上記ヒールカップ２を上記ベースプレート１に固定せしめるようにしてもよい。
【００２２】
また、図５に示すように、上記貫通穴１１の軸方向中間部に小径の段部１７を設け、上記硬度調整用ブッシュ１４をその先端面が上記段部１７に接する短い長さのものとし、上記ヒールカップ２と上記硬度調整用ブッシュ１４との間にスペース１８が形成され、従ってネジ３が遊動できるようにしてもよい。
【００２３】
図６及び図７は本発明の他の実施例を示し、この実施例においては、上記貫通穴１１を上下方向に伸びる溝付長穴１９とし、この長穴１９内にこれに合致する上下方向に伸びるフランジ付硬度調整用ブッシュ２０を嵌合せしめ、上記ブッシュ２０に挿入した１個のネジ３により上記ヒールカップ２を上記ベースプレート１に固定せしめる。
【００２４】
この実施例においては、上記長穴１９方向においても、上記硬度調整用ブッシュ２０が変形するようになる。
【００２５】
【発明の効果】
本発明のスノーボード用ビンディングは上記のような構成であるから、ユーザーはスノーボード用ビンディング購入後もヒールカップの硬さを、２段階以上に調整でき、従って、ユーザーは購入する段階で神経質になることなく、購入後も好み・滑走内容によって締具のフィーリングを調整することができるようになる大きな利益がある。
【図面の簡単な説明】
【図１】本発明のスノーボード用ビンディングの要部の側面図である。
【図２】本発明のスノーボード用ビンディングの要部の横断平面図である。
【図３】本発明の他の実施例におけるスノーボード用ビンディングの要部の側面図である。
【図４】本発明の更に他の実施例におけるスノーボード用ビンディングの要部の側面図である。
【図５】本発明の更に他の実施例におけるスノーボード用ビンディングの要部の横断平面図である。
【図６】本発明の更に他の実施例におけるスノーボード用ビンディングの要部の側面図である。
【図７】図６の縦断側面図である。
【図８】従来のスノーボード用ビンディングの斜視図である。
【符号の説明】
１    ベースプレート
１ａ  立ち上がり部
２    ヒールカップ
３    ネジ
４    ハイバック
５    前傾調整用アジャスター
６    ブーツ足首部固定用バンド
７    バンド締付用バックル
８    締付ベルト
９    ブーツ爪先部固定用バンド
１０    ベルト締付用バックル
１１    貫通穴
１２    溝
１３    ネジ貫通孔
１４    硬度調整用ブッシュ
１５    貫通穴
１６    硬度調整用ブッシュ
１７    段部
１８    スペース
１９    長穴
２０    硬度調整用ブッシュ
【図１】
2004248885.tif 000003
【図２】
2004248885.tif 000004
【図３】
2004248885.tif 000005
【図４】
2004248885.tif 000006
【図５】
2004248885.tif 000007
【図６】
2004248885.tif 000008
【図７】
2004248885.tif 000009
【図８】
2004248885.tif 000010